(57)【要約】【課題】消去すべき録画ファイルを的確に示すことにより、余分な録画ファイルを消さないようにした録画装置を提供する。【解決手段】  ＤＶＤレコーダは、入力部、符号化部、記録／読取部、信号処理部、出力部、制御部、を備える。制御部は、ＲＯＭ内に、録画予約処理、整理処理、録画処理を実行するサブルーチンを記憶している。録画予約処理は、録画予約する新たな放送番組のチャンネル、曜日、時間帯の各要素の入力を受け付ける。新たに録画予約処理をする放送番組のチャンネル、曜日、時間帯の各要素のいずれもが、すでに録画した録画ファイルの放送番組と合致する録画ファイルを検索して、合致する録画ファイルがある場合には、その録画ファイルが保存されているフォルダに記憶する。【選択図】図３
2008300929.tif 000002
【特許請求の範囲】
【請求項１】
放送番組を受信する受信手段と、
前記受信した放送番組を記録媒体へ録画する録画手段と、
放送番組の録画予約を受け付ける録画予約手段と、
録画した録画ファイルを分類するフォルダを作成したり、前記録画ファイルをフォルダに分類して管理する管理手段と、を備える録画装置において、
前記録画手段は、すでに録画した放送番組の録画ファイルから、当該録画ファイルのチャンネル、曜日、時間帯の各要素が、前記録画予約を受け付けた放送番組の当該各要素と、すべて合致する録画ファイルの検索を行い、前記各要素が合致する録画ファイルがあれば、前記管理手段を用いて、前記各要素が合致する録画ファイルが保存されているフォルダに、前記録画予約を受け付けた放送番組の録画ファイルを保存する録画装置。
【請求項２】
前記録画手段は、前記検索を行っても録画ファイルを発見できない場合には、最上位階層または予め定めた所定フォルダに保存し、
前記検索を行って発見したファイルが前記最上位階層または前記所定のフォルダに保存されているときは、前記ファイル手段を用いて新規フォルダを作成し、前記新規フォルダの中に、前記発見したファイルおよび新たに録画する放送番組の録画ファイルを保存する請求項１に記載の録画装置。
【請求項３】
前記管理手段は、前記検索を行うときに、すでに録画した録画ファイルの前記チャンネル、曜日、時間帯の各要素を並べたリストのファイルを作成し、前記録画予約手段が新たに録画予約を受け付けると、前記リストに前記チャンネル、曜日、時間帯の各要素を追加し、
前記録画手段は、前記検索を行う時に、前記リストを検索する請求項１〜２のいずれかに記載の録画装置。
【請求項４】
前記受信手段は、電子番組表を受信し、
前記録画予約手段は、前記電子番組表から前記放送番組の指定を受け付ける請求項１〜３のいずれかに記載の録画装置。
【請求項５】
前記録画装置は、ＤＶＤに放送番組を録画するＤＶＤレコーダである請求項１〜４のいずれかに記載の録画装置。
【発明の詳細な説明】
【技術分野】
【０００１】
本発明は、放送番組を録画する録画装置に関し、特に録画する録画ファイルの管理手段に関する。
【背景技術】
【０００２】
従来より、放送番組を受信するチューナと、ＤＶＤ、ハードディスク等の記録媒体を内蔵し、放送番組を録画するＤＶＤレコーダが実用化されている。このような装置では、予め放送番組の指定、または、放送番組を特定する情報、例えば、放送番組のチャンネル、曜日、時間帯の指定を受け付けて、指定された時刻に録画を開始する録画予約が行われている。
【０００３】
特許文献１には、例えば、放送番組名、あるいは曜日および記録開始時刻の対に基づいて、同一属性の記録情報が連続して再生されるように並べ替えられる記録装置が開示されている。また、特許文献２には、曜日情報と時刻情報とこれらの情報につき反復的に予約録画を行い、録画情報を一連の情報として扱って、１単位としてライブラリ情報を生成する記録再生装置等が開示されている。
【特許文献１】特開２００１−２６６４５７公報
【特許文献２】特開２００５−３４１３９９公報
【発明の開示】
【発明が解決しようとする課題】
【０００４】
しかしながら、特許文献１のように単に並べ替えただけでは、録画データが同一階層に一覧で表示され、階層構造になっていないので、録画ファイルが多い場合には、その頭だしが大変で取り扱いが煩雑であった。
【０００５】
そこで、録画する録画ファイルを管理する上で使い勝手がよい録画装置を提供することを目的とする。
【課題を解決するための手段】
【０００６】
本発明は、上述の課題を解決するための手段を以下のように構成している。
【０００７】
（１）  放送番組を受信する受信手段と、
前記受信した放送番組を記録媒体へ録画する録画手段と、
放送番組の録画予約を受け付ける録画予約手段と、
録画した録画ファイルを分類するフォルダを作成したり、前記録画ファイルをフォルダに分類して管理する管理手段と、を備える録画装置において、
前記録画手段は、すでに録画した放送番組の録画ファイルから、当該録画ファイルのチャンネル、曜日、時間帯の各要素が、前記録画予約を受け付けた放送番組の当該各要素と、すべて合致する録画ファイルを検索し、前記各要素が合致する録画ファイルがあれば、前記管理手段を用いて、前記各要素が合致する録画ファイルが保存されているフォルダに、前記録画予約を受け付けた放送番組の録画ファイルを保存する。
【０００８】
この構成では、すでに録画した録画ファイルと、チャンネル、曜日、時間帯の各要素が合致する録画ファイルの検索を行い、この録画ファイルが保存されているフォルダに、録画予約を受け付けた放送番組の録画ファイルを保存する。したがって、管理手段は、フォルダに区分して、コンテンツごとに録画ファイルを管理できるので、録画する録画ファイルを管理する使い勝手が向上する。
【０００９】
（２）  前記録画手段は、前記検索を行っても録画ファイルを発見できない場合には、最上位階層または予め定めたフォルダに保存し、
前記検索を行って発見したファイルが前記最上位階層または特定のフォルダに保存されているときは、前記ファイル手段を用いて新規フォルダを作成し、前記新規フォルダの中に、前記発見したファイルおよび新たに録画する放送番組の録画ファイルを保存する。
【００１０】
この構成では、前記検索を行って、各要素が同一のフォルダごとにグループ分けしている。グループに属しない録画ファイルは、最上位階層かまたは予め定めたフォルダにまとめて保存する。そして、録画予約した新たな放送番組と合致する動画ファイルを発見したとき、グループ分けしたフォルダでなく、最上位階層かまたは予め定めたフォルダに保存されているときは、グループ分けをするために新たなフォルダを作成し、そこに合致するファイルを保存する。したがってこの構成では、グループ分けが必要になったときにフォルダを作成する。この構成では、グループ分けをしないにもかかわらず、フォルダを作成するのではない。したがって、この構成では、録画する録画ファイルを管理する使い勝手が向上する。
【００１１】
（３）  前記管理手段は、前記検索を行うときに、すでに録画した録画ファイルの前記チャンネル、曜日、時間帯の各要素を並べたリストのファイルを作成し、前記録画予約手段が新たに録画予約を受け付けると、前記リストに前記チャンネル、曜日、時間帯の各要素を追加し、
前記録画手段は、前記検索を行う時に、前記リストを検索する。
【００１２】
この構成では、前記検索を行うリストを作成しているので、検索する効率を向上させることができ、使い勝手が向上する。
【００１３】
（４）  前記受信手段は、電子番組表を受信し、
前記録画予約手段は、前記電子番組表から前記放送番組の指定を受け付けるようにしてもよい。
【００１４】
（５）  前記録画装置は、ＤＶＤに放送番組を録画するＤＶＤレコーダとしてよい。
ここで、ＤＶＤは、High-Definition Digital Versatile Discである。
【発明の効果】
【００１５】
本発明の録画装置によれば、録画する録画ファイルの管理する上で使い勝手がよい録画装置を提供することができる。
【発明を実施するための最良の形態】
【００１６】
図１は、この発明の実施形態であるＤＶＤレコーダ１の主要部の構成を示すブロック図である。この実施形態のＤＶＤレコーダ１は、ＤＶＤ等の記録媒体への映像信号の記録、および記録媒体に記録されている録画ファイルの再生を行う。
【００１７】
この実施形態のＤＶＤレコーダ１にマウント可能なＤＶＤ１０は、書き換え可能なＤＶＤ−ＲＷなどや、追記可能な光ディスクＤＶＤ−Ｒなどであるが、本実施形態のＤＶＤに限らず、他の光ディスクに対して記録する場合でも、本装置を応用できる。
【００１８】
入力部２には、映像信号、音声信号を入力する。この映像信号、音声信号は、例えば、アンテナ等（不図示）で受信したアナログ形式、デジタル形式のテレビ放送信号である。
【００１９】
符号化部３は、入力部２で入力したアナログ形式の映像信号および音声信号をデジタル信号に変換して、これらをエンコードする。符号化部３は、このエンコードしたデータをディスクドライブ４に出力する。
【００２０】
記録／読取部４は、記録媒体の１種である光ディスクドライブ４１と、ハードディスク４２（ＨＤ４２と略す）と、ハードディスクドライブ４３（ＨＤＤ４３と略す）を備える。光ディスクドライブ４は、ＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、光ディスクドライブ４１は、ＤＶＤ１０の読出・記録をする。ＨＤ４２は、記録媒体の１種である。ＨＤＤ４３は、ＨＤ４２に記録し、読み出す。
【００２１】
なお、本実施形態の記録媒体は、映像信号、音声信号を記録できればよく、光ディスクのほかフラッシュメモリ等の持ち運びできるもののみならず、据付で使用するものも含む。光ディスクドライブ４１、ＨＤＤ４３は、記録媒体の例示であり、両方とも備える必要はなく、１以上の記録媒体に記録、読み出しができればよい。
【００２２】
このような構成により、記録／読取部４は、符号化部３でエンコードされた映像信号、音声信号をＤＶＤ１０またはＨＤ４２に記録する。以下では、映像信号、音声信号の記録媒体への記録を録画という。
【００２３】
また、本実施形態で用いる記録媒体ＤＶＤ１０、ＨＤ４２には、録画された録画ファイルのチャンネル、曜日、時間帯の各要素をリスト１０１、１０２にして保存する。
【００２４】
信号処理部５は、復調部、デコーダ、ＯＳＤ合成部を備えている。復調部は、ディスクドライブ４が読み取ったＲＦ信号から、映像データと音声データを復調し、誤り訂正を行う。デコーダは、映像データと音声データをデコードする。ＯＳＤ合成部は、制御部９が発行するコマンドに基づいてＯＳＤ合成部５の文字、キャラクタ等のＯＳＤ（On-Screen Display）を合成する。デコーダから映像信号が出力されている場合には、この映像信号とＯＳＤ（On-Screen Display）を合成し、出力部６に出力する。
【００２５】
出力部６は、Ｄ/Ａ変換器等を備え、信号処理部５で処理された映像信号、音声信号をＤ/Ａ変換する。出力部６は、Ｄ/Ａ変換した映像信号、音声信号を同期させて、表示器１１、スピーカ１２に出力する。
【００２６】
操作部８は、装置本体に対する操作を指示する入力を受け付ける。操作部８は、複数の操作キーや、図示していないリモコン装置から送信されてきた装置本体に対する制御コードを受信するリモコン受信部を有している。操作部８は、ユーザにより操作された操作キーに応じた入力を受け付け、これらに対応したコードや、リモコン受信部で受信した制御コードを制御部９に伝達する。例えば操作部８は、録画（即ち、映像信号のＤＶＤ１０への記録）の指示の入力や、録画の予約の入力を受け付ける。
【００２７】
制御部９は、マイコンで構成し、ＣＰＵ、ＲＡＭ、制御データ格納用のＲＯＭを備える。制御部９は、操作部８で受け付けた入力に基づいて、以上で示した装置のうち２〜８の各部の動作を制御する。また、制御部９のＲＯＭは、予め録画予約を行う録画予約処理９１、管理処理９３、録画処理９４を実行するためのサブルーチンを記憶している。
【００２８】
録画予約処理９１では、録画予約の項目の選択を受け付ける。録画予約処理９１では、録画する放送番組の開始前に所定のキー操作を受け付けて実行される。録画予約受付処理では、ユーザから録画予定時間Ｔ［Ｈ］、録画予定時刻、録画するテレビのチャンネル番号、曜日または日付、録画する記録媒体の指定を受け付ける。また、画質を指定するための録画モードの選択を受け付けてもよい。
【００２９】
なお、録画予定時間Ｔ［Ｈ］でなく、録画終了時刻を受け付けてもよい。これらの要素によって受け付ける録画予約の時間帯は、本発明の「時間帯」に相当する。
【００３０】
管理処理９３には、フォルダを作成する作成処理、録画した録画ファイルを複数のフォルダに分類して管理する処理、表示器１１にフォルダ一覧を表示して、選択を受け付け、フォルダの内容を表示する処理を含む。
【００３１】
録画処理９４では、制御部９は、録画動作の開始、停止等の制御を行う。また、録画処理９４では、録画予約のデータに基づいて、放送番組の録画を開始する。また、録画処理９４では、管理処理９３を呼び出して、録画時に、録画予約されたファイルの管理を行う。
【００３２】
ＤＶＤレコーダ１には、表示器１１とスピーカ１２が接続されている。表示器１１は、出力部６から出力された映像信号に基づいて映像を表示する。スピーカ１２は、出力部６から出力された音声信号を増幅して音声を放出する。
【００３３】
次に、図２を用いて、録画ファイルの表示例について説明する。この例は、録画処理９４により録画された場合に、ユーザが所定のフォルダを選択したときのフォルダの中身を示している。録画処理９４は、記録媒体のリスト（１０１、１０２等）と比較して、新たな放送番組のチャンネル、曜日、時間帯の各要素のいずれもが、すでに録画した録画ファイルと略同じ録画ファイルを検索する。ここで、図２の例では、４チャンネル（ｃｈ４）で、かつ、木曜日、５：３０と略同じデータが毎週連続して録画されていたとする。その結果、図２の例のフォルダＡには、録画処理９４がフォルダに４チャンネル（ｃｈ４）で、かつ、木曜日、５：３０のデータを分別して蓄積する。また、６チャンネル（ｃｈ６）で、かつ、水曜日、６：３０と略同じデータが毎週連続して録画されていたとする。その結果、図２の例のフォルダＢには、録画処理９４がフォルダに６チャンネル（ｃｈ６）で、かつ、木曜日、５：３０のデータを分別して蓄積する。
【００３４】
このようにフォルダＡ、Ｂで分別することを以下では、「グループ分け」、「グループ分けする」と称する。また、フォルダＡ、Ｂでグループ分けしたフォルダをグループ分けしたフォルダということにする。
【００３５】
また、これらの各項目が合致しない録画ファイル（図２のタイトル１２、１３）は、フォルダで分別するのではなくて、最上位階層に保存するか、これらの各項目が合致する録画ファイルを保存したフォルダ以外の所定のフォルダ（以下これをメインフォルダということにする）に保存する。
【００３６】
次に、図３を用いて、録画処理９４のフローの第１例について説明する。この処理では、前処理として、ＳＴ１で予め、先週（すなわち現在の週の前）に、録画予約処理９１が録画予約を受け付け、録画処理９４がされているものとする。
【００３７】
ＳＴ２で、現在、録画予約処理９１が録画予約を受け付ける。ＳＴ３では、すでに録画した録画ファイル（すなわち先週に録画した録画ファイル、以下、図３の説明において同じ。）の放送番組と、録画予約を受け付けた新たな放送番組と、曜日が一致するか判断する。ＳＴ３では、すでに録画した録画ファイルの放送番組と新たな放送番組と、チャンネルが一致するか判断する。ＳＴ５では、すでに録画した録画ファイルの放送番組と、新たな放送番組と、時間帯（開始時刻、終了時刻）が一致するか判断する。ＳＴ３〜ＳＴ５の判断がいずれかが否定になれば（ＳＴ３〜ＳＴ５のＮＯ）直ちにＳＴ７に移動する。ＳＴ３〜ＳＴ５の判断がいずれも肯定になれば（ＳＴ３〜ＳＴ５のＹＥＳ）、ＳＴ６に移動する。ＳＴ６では、新たな放送番組のチャンネル、曜日、時間帯の各要素のいずれもが、先週録画した録画ファイルと同じ場合に分岐する。この場合、先週録画した録画ファイルと同じフォルダに保存する。
【００３８】
ＳＴ７では、新たな放送番組のチャンネル、曜日、時間帯の各要素のいずれかが、すでに録画した録画ファイルと異なる録画ファイルであれば、新規フォルダを作成し、分別して管理する。ＳＴ８では、ＳＴ７で新たに作成したフォルダに保存する。
【００３９】
図４のフロー図を用いて、図３で示した処理例１の応用にかかる処理例２について説明する。この例では、ＳＴ３、ＳＴ４、ＳＴ５において、記録媒体に録画ファイルと併せて記録したリスト（１０１、１０２等）を用いて、先週のみならず、すでに録画したデータ全体から検索を行う。図４のフローのうち同じ機能のステップは、図３と同じステップ番号を付している。リスト（１０１、１０２等）には、チャンネル、曜日、時間帯の各要素が記述されている。ここで、このフローの例では、リスト（１０１、１０２等）は、管理処理９３が作成したフォルダごとに用意され、または、フォルダと関連づけた１つのリストで構成されている。いずれにせよ、リスト（１０１、１０２等）には、各フォルダ内に保存された録画ファイルのチャンネル、曜日、時間帯の各要素が記述されている。
【００４０】
図４の例では、ＳＴ３、ＳＴ４、ＳＴ５は、録画予約を受け付けた放送番組のチャンネル、曜日、時間帯と、各フォルダに保存された録画放送番組とのチャンネル、曜日、時間帯を比較して、各要素すべてが合致するものがないか、リストを参照して判断することを繰り返す。これにより、全フォルダについて検索を行うことができる。この繰り返しは、検索対象のフォルダがほかにある限り（ＳＴ８のＮＯ）、続行する。チャンネル、曜日、時間帯の各要素がすべて合致するものがあれば（ＳＴ３、ＳＴ４、ＳＴ５のＹＥＳ）、ＳＴ６０１に移動する。ＳＴ６０１では、検索を行った結果発見できたフォルダに、録画予約を受け付けた放送番組の録画ファイルを保存する。
【００４１】
また、図４の例では、検索を行っても合致する録画データがない場合には、図３のＳＴ７のステップを実行し、フォルダを新規に作成する。その後、ＳＴ８で、ＳＴ２で録画予約を受け付けた放送番組の録画ファイルをＳＴ７で作成したフォルダに保存する。
【００４２】
図５のフロー図を用いて、図３、図４で示した録画処理９４の応用にかかる処理例３について説明する。図５のうち、図３、図４と機能が共通するステップについては、同じステップ番号を付している。図５の例では、フォルダを検索するのではなくて、録画ファイルを検索する。このとき、図５の例のリスト１０１、１０２には、図４の例と異なり、全部の録画ファイルのチャンネル、曜日、時間帯の各要素が記述されている。
【００４３】
図４のフローでは、ＳＴ７、ＳＴ８で新規フォルダを作成した場合、１つのフォルダに録画ファイルが１つのみ存在することになりわずらわしいこともある。そこで、処理例３では、検索を行っても各要素が合致するファイルがない場合には、ＳＴ７、ＳＴ８の代わりに、ＳＴ２４の処理を行う。ＳＴ２４では、ある特定のグループ分けしたフォルダに保存するのではなくて、最上位階層、または前述したメインフォルダに保存する。また、図４で示したＳＴ６０１の前にＳＴ２２、ＳＴ２３の処理を行う。合致する録画ファイルがある場合には（ＳＴ３、ＳＴ４，ＳＴ５のＹＥＳ）、ＳＴ２２に移動する。さらに、検索できた録画ファイル（検索した結果発見できた、各要素が合致する録画ファイルのことを言う。以下同じ。）が、グループ分けしていない最上位階層またはメインフォルダに保存されている場合には（ＳＴ２２のＹＥＳ）、新たなグループ分けを行うため、ＳＴ２３で新たにフォルダを作成すると共に、検索できた録画ファイルを新たに作成したフォルダに移動する。検索できた録画ファイルが、グループ分けしたフォルダにすでに保存されている場合には（ＳＴ２２のＮＯ）、ＳＴ２３の処理は行わない。さらに、ＳＴ６０１で、録画予約を受け付けた放送番組の録画ファイルも、検索できた録画ファイルと同一のフォルダに保存する。これにより、録画ファイルのグループ分けを行うことができる。
【００４４】
以上の実施形態について補足する。
【００４５】
リスト１０１、１０２を作成するとしたが、録画ファイルを直接検索してもよい。また、１つのファイルのリスト１０１、１０２にまとめなくても、録画ファイルごとまたはフォルダごとに、チャンネル、曜日、時間帯の各要素を結び付けたファイルを作成し、これらのファイルを検索してもよい。リスト１０１、１０２を記録媒体の代わりに制御部９内外に接続するフラッシュメモリに記憶してもよい。
【００４６】
また、録画予約処理９１では、入力部から、受信した情報を基に電子番組表を抽出して、電子番組表から放送番組の選択を受け付けてもよい。このとき、電子番組表を参照することにより、選択された放送番組から、チャンネル、曜日、時間帯の各要素を抽出する。
【００４７】
なお、図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。
【図面の簡単な説明】
【００４８】
【図１】第１実施形態のＤＶＤレコーダの構成図
【図２】第１実施形態のＤＶＤレコーダで録画した録画ファイルの表示例
【図３】第１実施形態のＤＶＤレコーダの録画処理例１のフロー図
【図４】第１実施形態のＤＶＤレコーダの録画処理例２のフロー図
【図５】第１実施形態のＤＶＤレコーダの録画処理例３のフロー図
【符号の説明】
【００４９】
１−ＤＶＤレコーダ、  ２−入力部、  ３−符号化部、
４−記録／読取部、  ４１−光ディスクドライブ、  ４２−ハードディスク（ＨＤ）、
４３−ハードディスクドライブ（ＨＤＤ）、  ５−信号処理部、  ６−出力部、
８−操作部、  ９−制御部、  ９１−録画予約処理、  ９３−管理処理、
９４−録画処理、  １０−ＤＶＤ、  １１−表示器、  １２−スピーカ、
１０１−リスト、  １０２−リスト
【図１】
2008300929.tif 000003
【図２】
2008300929.tif 000004
【図３】
2008300929.tif 000005
【図４】
2008300929.tif 000006
【図５】
2008300929.tif 000007